(57)【要約】【課題】オペレータが手首または前腕部を載せた状態で走行操作具を揺動操作することができるアームレストを設けたコンバインにおいて、前記アームレストに当接する手首または前腕部に、当該アームレストとの摩擦作用によって痛みを感じたり、疲労感を覚えることがないように、当該アームレストに対する手首または前腕部の載置フィーリングを改善して、走行操作具の快適な繰返し揺動操作を可能にする。【解決手段】アームレスト２２の上面に設けるパッド部材２５を、形態回復性を有する弾性体で形成した表皮部２５ａと、この表皮部２５ａの中に封入した粘弾性を有するジェル状の流動体２５ｂとで構成した。【選択図】図７
2010029067.tif 000002
【特許請求の範囲】
【請求項１】
操向操作具（７）の手前側にアームレスト（２２）を設け、該アームレスト（２２）にオペレータが手首または前腕部を載せた状態で操向操作具（７）を揺動操作するコンバインにおいて、前記アームレスト（２２）の上面に設けるパッド部材（２５）を、形態回復性を有する弾性体で形成した表皮部（２５ａ）と、この表皮部（２５ａ）の中に封入した粘弾性を有するジェル状の流動体（２５ｂ）とで構成したことを特徴とするコンバイン。
【発明の詳細な説明】
【技術分野】
【０００１】
本発明は、コンバインの操向操作具に併設するアームレストに関する。
【背景技術】
【０００２】
従来、圃場を走行しながら穀稈を刈取って穀粒の収穫作業を行なうコンバインの操縦部には、操向操作具と前処理部の昇降操作具とを兼ねるマルチステアリングレバーを備えており、このマルチステアリングレバーの手前側にオペレータが手首または前腕部を載せた状態で、当該レバーを操作することができるアームレスト（手置台）を設けたものが知られている（例えば、特許文献１参照）。
【特許文献１】特開２００４−９７０５６号公報（第４−５頁、図２−図４）
【発明の開示】
【発明が解決しようとする課題】
【０００３】
しかし、上述した特許文献１のアームレストは、略門型状に形成されたステーの上部に樹脂体からなる基部を設けると共に、この基部の上面に弾性体からなるパッドを嵌着しただけのものであり、該パッドに手首または前腕部を載せた状態でマルチステアリングレバーの左右及び前後方向の揺動操作を長時間繰り返すと、パッドに当接する手首または前腕部が当該パッドとの摩擦作用によって痛みを感じたり、疲労感を覚えることがあり、アームレストに対する手首または前腕部の載置フィーリングを改善する必要があった。
【課題を解決するための手段】
【０００４】
本発明は、上記課題を解決することを目的としたものであって、操向操作具の手前側にアームレストを設け、該アームレストにオペレータが手首または前腕部を載せた状態で操向操作具を揺動操作するコンバインにおいて、前記アームレストの上面に設けるパッド部材を、形態回復性を有する弾性体で形成した表皮部と、この表皮部の中に封入した粘弾性を有するジェル状の流動体とで構成したことを特徴としている。
【発明の効果】
【０００５】
本発明によれば、オペレータが操向操作具の手前側に設けたアームレストに手首または前腕部を載せた状態で操向操作具を揺動操作するにあたり、前記アームレストの上面に設けるパッド部材を、形態回復性を有する弾性体で形成した表皮部と、この表皮部の中に封入した粘弾性を有するジェル状の流動体とで構成したことによって、前記パッド部材は、形態回復性を有する表皮部と、該表皮部の中に封入した粘弾性を有するジェル状の流動体の特性により手首または前腕部をしなやかに包み込むように変形して、この手首または前腕部の重みをパッド部材全体に広く分散させると共に、パッド部材は、手首または前腕部の微妙な動きを妨げることなくあらゆる方向に緩やかに追随して変形するので、操向操作具の揺動操作を長時間繰り返す場合であっても、パッド部材に当接する手首または前腕部に当該パッド部材との摩擦によって痛みを感じたり、疲労感を覚えることがなく、それによりアームレストに対する手首または前腕部の載置フィーリングが改善されて、前記操向操作具の快適な繰返し揺動操作が可能になる。
【発明を実施するための最良の形態】
【０００６】
次に、本発明の実施の形態を図面に基づいて説明する。図１は、コンバイン１の右側面図であって、コンバイン１は、収穫材料である稲や麦等の穀稈を圃場から刈取って後方に搬送する前処理部２と、この前処理部２から搬送される穀稈から穀粒を脱穀する図示しない脱穀部と、該脱穀部で脱穀された穀粒を選別処理する選別部（揺動選別装置）と、選別済みの穀粒を一時的に貯留する穀粒タンク３と、該穀粒タンク３内の穀粒を機外へ搬出する穀粒排出オーガ４と、脱穀部で脱穀した後の排稈を機体後部まで搬送する図示しない排藁搬送装置と、機体後部において排稈を所定の長さに切断して機外に排出するカッタを備えた後処理部５と、オペレータが着座する座席６や操向操作具であるマルチステアリングレバー７、及び主変速レバー８等の各種操作具を配設した操縦部９を備えている。
【０００７】
そして、コンバイン１は、クローラ１１を掛け回した左右一対のクローラ走行装置１２に機体フレーム１３を支持すると共に、この機体フレーム１３の前部に前処理部２を昇降自在に連結している。尚、機体フレーム１３上の左側前部に脱穀部を配設する一方、機体フレーム１３上の右側前部に操縦部９を配設し、更にその後方に穀粒タンク３と排藁搬送装置を設けている。
【０００８】
また、図２及び図３は、二点鎖線で示すオペレータ１４が操縦部９に搭乗して座席６に着座すると共に、右手でマルチステアリングレバー７を、左手で主変速レバー８を把持した状態を示す要部側面図と要部平面図であって、操縦部９の床面を形成する搭乗ステップ１６の前側に操縦塔１７を立設し、この操縦塔１７の上部を覆うメータパネルを兼ねた上面パネル１８の右側からマルチステアリングレバー７を突出させている。一方、座席６左側のサイドパネル１９には、主変速レバー８や副変速レバー２１等のコンバイン１の操縦に必要な複数の操作レバーやスイッチ類を配置している。
【０００９】
また、上述したマルチステアリングレバー７の手前側（座席６基準）には、オペレータが手首または前腕部を載せた状態で当該マルチステアリングレバー７を操作することができるアームレスト２２を設けている。更に詳しく説明すると、アームレスト２２は、図４に示す如く操縦塔１７を形成するフレーム部材２３の上部に上面パネル１８と一体的に固設してあり、当該アームレスト２２は、略門型状に形成した樹脂製の基部２４と、この門型状の基部２４を構成する上側の梁部分２４ａの上面に貼着したパッド部材２５とを備えている。
【００１０】
そして、上述のパッド部材２５は、図５に示す断面図のように、形態回復性を有する弾性体（例えば、クロロプレンゴム、ウレタン合皮）で形成した表皮部２５ａと、この表皮部２５ａの中に封入した粘弾性を有するジェル状の流動体２５ｂとで構成している。この粘弾性を有するジェル状の流動体２５ｂは、遅延形状回復性とジェルの特性である流動性を併せ持つ超柔軟性の合成ゴムである。
【００１１】
ところで、マルチステアリングレバー７は、従来公知のように、コンバイン１の操向操作具と前処理部２の昇降操作具とを兼ねており、図６に示す中立状態から図７または図８に示す如く回動支点Ｐ周りに左右一側に揺動（傾倒）操作することによって、その傾倒方向の図示しないサイドクラッチを切りながらの緩旋回と、更なるマルチステアリングレバー７の傾倒操作によって、その傾倒方向の図示しないサイドブレーキを作動させての急旋回を可能にすると共に、マルチステアリングレバー７を中立状態から前後方向に傾倒操作することによって、前処理部２を昇降作動させることができるようになっている。
【００１２】
この時、コンバイン１のオペレータは、マルチステアリングレバー７の手前側に設けたアームレスト２２に手首または前腕部を載せた状態で、当該マルチステアリングレバー７を中立状態から回動支点Ｐ周りに左右一側に揺動（傾倒）操作するにあたり、アームレスト２２の上面に設けるパッド部材２５を、形態回復性を有する弾性体で形成した表皮部２５ａと、この表皮部２５ａの中に封入した粘弾性を有するジェル状の流動体２５ｂとで構成したことによって、前記パッド部材２５は、形態回復性を有する表皮部２５ａと、該表皮部２５ａの中に封入した粘弾性を有するジェル状の流動体２５ｂの特性により手首または前腕部をしなやかに包み込むように変形して、この手首または前腕部の重みをパッド部材全体２５に広く分散させると共に、パッド部材２５は、手首または前腕部の微妙な動きを妨げることなくあらゆる方向に緩やかに追随して変形するので、マルチステアリングレバー７の左右方向揺動操作を長時間繰り返す場合であっても、パッド部材２５に当接する手首または前腕部に当該パッド部材２５との摩擦によって痛みを感じたり、疲労感を覚えることがなく、それによりアームレスト２２に対する手首または前腕部の載置フィーリングが改善されて、マルチステアリングレバー７の快適な繰返し揺動操作が可能になる。
【図面の簡単な説明】
【００１３】
【図１】コンバインの右側面図。
【図２】オペレータが操縦部に搭乗した状態を示す要部側面図。
【図３】オペレータが操縦部に搭乗した状態を示す要部平面図。
【図４】操縦部の斜視図。
【図５】パッド部材の断面図。
【図６】中立状態にあるマルチステアリングレバーの要部正面図。
【図７】左旋回操作時のマルチステアリングレバーの要部正面図。
【図８】右旋回操作時のマルチステアリングレバーの要部正面図。
【符号の説明】
【００１４】
７      操向操作具
２２    アームレスト
２５    パッド部材
２５ａ  表皮部
２５ｂ  流動体
【図１】
2010029067.tif 000003
【図２】
2010029067.tif 000004
【図３】
2010029067.tif 000005
【図４】
2010029067.tif 000006
【図５】
2010029067.tif 000007
【図６】
2010029067.tif 000008
【図７】
2010029067.tif 000009
【図８】
2010029067.tif 000010